(57)【要約】【課題】複数の放送媒体で同一のコンテンツが放送されている場合に、ユーザが自分の好みの映像および音声を視聴することができる番組再生装置を提供する。【解決手段】番組再生装置１００は、複数の放送媒体で放送されており、かつ、少なくとも音声が含まれる番組を再生する番組再生装置１００であって、番組と複数の放送媒体の番組表とを取得する取得部１０１と、番組を再生する再生部１０２と、番組表から再生されている番組である視聴番組と同一のコンテンツが放送されている番組である同一番組の検索を行う検索部１０３と、検索結果に同一番組が含まれる場合、視聴番組と同一番組とからなる同一番組群に含まれる１つの映像を再生部１０２で再生させ、かつ、同一番組群に含まれる１つの音声を再生部１０２で再生させるための選択肢を、表示部２０に表示させる表示制御部１０４と、を備える。【選択図】図３
2015192401.tif 000002
【特許請求の範囲】
【請求項１】
複数の放送媒体で放送されており、かつ、映像および音声のうちの少なくとも音声が含まれる番組を再生する番組再生装置であって、
前記番組と、前記複数の放送媒体の番組表とを取得する取得部と、
前記取得部により取得された前記番組を再生する再生部と、
前記取得部により取得された前記番組表から、前記再生部により再生されている番組である視聴番組と同一のコンテンツが放送されている番組である同一番組の検索を行う検索部と、
前記検索の結果に前記同一番組が含まれる場合、前記視聴番組と前記同一番組とからなる同一番組群に含まれる１つの映像を前記再生部で再生させ、かつ、前記同一番組群に含まれる１つの音声を前記再生部で再生させるための選択肢を、表示部に表示させる表示制御部と、を備える
番組再生装置。
【請求項２】
前記表示制御部は、
（ｉ）前記同一番組群に複数の映像が含まれる場合、前記複数の映像のいずれか１つを前記再生部で再生させるための映像選択肢を前記選択肢として前記表示部に表示させ、
（ｉｉ）前記同一番組群に複数の音声が含まれる場合、前記複数の音声のいずれか１つを前記再生部で再生させるための音声選択肢を前記選択肢として前記表示部に表示させる
請求項１に記載の番組再生装置。
【請求項３】
さらに、
ユーザによる入力を受け付ける入力受付部と、
前記入力受付部において受け付けられた入力に応じて、前記映像選択肢から前記複数の映像のいずれかを選択し、かつ、前記音声選択肢から前記複数の音声のいずれかを選択する選択部と、を備え、
前記再生部は、
前記選択部により選択された映像を再生し、当該映像を再生した結果を前記表示制御部に出力する映像処理部と、
前記選択部により選択された音声を再生し、当該音声を再生した結果を出力する音声処理部と、を有し、
前記表示制御部は、さらに、前記映像処理部により出力された前記結果を前記表示部に表示させる
請求項２に記載の番組再生装置。
【請求項４】
前記検索部は、前記番組表により示される複数の番組であって、前記視聴番組の放送時間と同一の時間帯に放送される複数の番組の中から、前記視聴番組の番組情報が所定の割合以上一致する番組情報を有する番組を、前記同一番組として検索する
請求項１から３のいずれか１項に記載の番組再生装置。
【請求項５】
さらに、
前記再生部により再生されている映像が含まれる番組と、前記再生部により再生されている音声が含まれる番組とのいずれかの放送が終了することを検出する終了検出部を備え、
前記表示制御部は、前記同一番組群から前記終了検出部で検出された番組である検出番組を除いた番組に含まれる１つの映像を前記再生部で再生させ、かつ、当該除いた番組に含まれる１つの音声を前記再生部で再生させるための選択肢を表示部に表示させる
請求項１から４のいずれか１項に記載の番組再生装置。
【請求項６】
さらに、
前記検出番組の終了後に、前記検出番組を他のチャンネルで継続して放送している番組であるイベントリレー番組が放送されるか否かを判定する判定部を備え、
前記表示制御部は、前記イベントリレー番組が放送されると前記判定部により判定された場合、前記検出番組の放送が終了したときに、当該検出番組から前記イベントリレー番組に切り替えて映像または音声を再生する旨を通知するメッセージを前記表示部に表示させる
請求項５に記載の番組再生装置。
【請求項７】
前記再生部は、前記検出番組の放送が終了したときに、当該検出番組から前記イベントリレー番組に切り替えて映像または音声を再生する
請求項６に記載の番組再生装置。
【請求項８】
前記表示制御部は、前記同一番組群から前記検出番組を除いた番組に音声のみが含まれる場合に、当該音声を再生させるか否かをユーザに選択させる画像を前記表示部に表示させる
請求項５から７のいずれか１項に記載の番組再生装置。
【請求項９】
前記取得部は、さらに、前記コンテンツがスポーツを含む試合である場合に、当該試合の結果をインターネット上の試合速報提供サーバから取得し、
前記表示制御部は、前記同一番組群から前記検出番組を除いた結果に番組が存在しない場合、前記取得部により前記試合の結果が取得されたときに、当該試合の結果を前記表示部に表示させる
請求項５から８のいずれか１項に記載の番組再生装置。
【請求項１０】
複数の放送媒体で放送されており、かつ、映像および音声のうちの少なくとも音声が含まれる番組を再生する番組再生方法であって、
前記番組と、前記複数の放送媒体の番組表とを取得する取得ステップと、
前記取得ステップにおいて取得された前記番組を再生部で再生する再生ステップと、
前記取得ステップにおいて取得された前記番組表から、前記再生ステップにより再生されている番組である視聴番組と同一のコンテンツが放送されている番組である同一番組の検索を行う検索ステップと、
前記検索ステップにおける前記検索の結果に前記同一番組が含まれる場合、前記視聴番組と前記同一番組とからなる同一番組群に含まれる１つの映像を前記再生部に再生させ、かつ、前記同一番組群に含まれる１つの音声を前記再生部に再生させるための選択肢を表示部に表示させる表示ステップと、を含む
番組再生方法。
【発明の詳細な説明】
【技術分野】
【０００１】
本発明は、複数の放送媒体で放送されている番組を取得し、取得した番組を再生する番組再生装置および番組再生方法に関する。
【背景技術】
【０００２】
従来、番組表を基に、受信している放送番組と同一内容のコンテンツ（例えば、ＶＯＤ：Ｖｉｄｅｏ  Ｏｎ  Ｄｅｍａｎｄ）をネットワーク上から検索して再生する電子機器（番組再生装置）が開示されている（特許文献１参照）。特許文献１の番組再生装置では、放送番組と同一内容のコンテンツを検索し、検索したコンテンツを再生できるため、ユーザが放送番組の放送スケジュールに束縛されることなく放送番組と同一内容のコンテンツを視聴可能にしている。
【先行技術文献】
【特許文献】
【０００３】
【特許文献１】特開２００９−１７２５９号公報
【発明の概要】
【発明が解決しようとする課題】
【０００４】
ところで、スポーツの試合、コンサートなどのコンテンツを生中継で放送している場合、様々な放送媒体で放送されうる。このような複数の放送媒体で放送されているコンテンツを視聴するときに、従来技術の番組再生装置では、ユーザが自分の好みの映像および音声を視聴することができない場合がある。
【０００５】
そこで、本発明は、このような状況に鑑みてなされたものであり、複数の放送媒体で同一のコンテンツが放送されている場合に、ユーザが自分の好みの映像および音声を視聴することができる番組再生装置を提供することを目的とする。
【課題を解決するための手段】
【０００６】
上記目的を達成するために、本発明の一態様に係る番組再生装置は、複数の放送媒体で放送されており、かつ、映像および音声のうちの少なくとも音声が含まれる番組を再生する番組再生装置であって、前記番組と、前記複数の放送媒体の番組表とを取得する取得部と、前記取得部により取得された前記番組を再生する再生部と、前記取得部により取得された前記番組表から、前記再生部により再生されている番組である視聴番組と同一のコンテンツが放送されている番組である同一番組の検索を行う検索部と、前記検索の結果に前記同一番組が含まれる場合、前記視聴番組と前記同一番組とからなる同一番組群に含まれる１つの映像を前記再生部で再生させ、かつ、前記同一番組群に含まれる１つの音声を前記再生部で再生させるための選択肢を、表示部に表示させる表示制御部と、を備える。
【０００７】
これによれば、ユーザが現在視聴している視聴番組と同一のコンテンツが放送されている番組である同一番組の検索を各放送媒体の番組表から行う。そして、検索の結果に同一の番組が含まれる場合、視聴番組と同一番組からなる同一番組群に含まれる１つの映像を再生部で再生させ、かつ、同一番組群に含まれる１つの音声を再生部で再生させることをユーザが選択肢から選択可能である。このためユーザは、複数の放送媒体における複数の番組で同一のコンテンツが放送されている場合、ユーザの所望の映像と音声との組み合わせを選択できる。
【０００８】
例えば、前記表示制御部は、（ｉ）前記同一番組群に複数の映像が含まれる場合、前記複数の映像のいずれか１つを前記再生部で再生させるための映像選択肢を前記選択肢として前記表示部に表示させ、（ｉｉ）前記同一番組群に複数の音声が含まれる場合、前記複数の音声のいずれか１つを前記再生部で再生させるための音声選択肢を前記選択肢として前記表示部に表示させてもよい。
【０００９】
これによれば、検索の結果、同一番組群に含まれる映像が複数あれば、表示制御部は、複数の映像のいずれか１つを再生部で再生させることをユーザが選択可能な映像選択肢を表示させ、同一番組群に含まれる音声が複数あれば複数の音声のいずれか１つを再生部で再生させることをユーザが選択可能な音声選択肢を表示させる。このため、複数の放送媒体における複数の番組で同一のコンテンツが放送されている場合、ユーザの所望の映像と音声との組み合わせを容易に選択できる。
【００１０】
また、さらに、ユーザによる入力を受け付ける入力受付部と、前記入力受付部において受け付けられた入力に応じて、前記映像選択肢から前記複数の映像のいずれかを選択し、かつ、前記音声選択肢から前記複数の音声のいずれかを選択する選択部と、を備え、前記再生部は、前記選択部により選択された映像を再生し、当該映像を再生した結果を前記表示制御部に出力する映像処理部と、前記選択部により選択された音声を再生し、当該音声を再生した結果を出力する音声処理部と、を有し、前記表示制御部は、さらに、前記映像処理部により出力された前記結果を前記表示部に表示させてもよい。
【００１１】
これによれば、映像処理部が映像選択肢でユーザにより選択された映像を表示制御部に出力し、かつ、音声処理部が音声選択肢でユーザにより選択された音声をスピーカから出力させる。このため、ユーザは、映像選択肢で選択した映像と音声選択肢で選択した音声の組み合わせで、当該映像および当該音声が含まれるコンテンツを視聴することができる。
【００１２】
また、前記検索部は、前記番組表により示される複数の番組であって、前記視聴番組の放送時間と同一の時間帯に放送される複数の番組の中から、前記視聴番組の番組情報が所定の割合以上一致する番組情報を有する番組を、前記同一番組として検索してもよい。
【００１３】
このため、検索部は、確実に番組表の中から同一番組を検索できる。
【００１４】
また、さらに、前記再生部により再生されている映像が含まれる番組と、前記再生部により再生されている音声が含まれる番組とのいずれかの放送が終了することを検出する終了検出部を備え、前記表示制御部は、前記同一番組群から前記終了検出部で検出された番組である検出番組を除いた番組に含まれる１つの映像を前記再生部で再生させ、かつ、当該除いた番組に含まれる１つの音声を前記再生部で再生させるための選択肢を表示部に表示させてもよい。
【００１５】
これによれば、ユーザが視ている映像が含まれる番組、および、ユーザが聴いている音声が含まれる番組のいずれかの放送が終了することが検出された場合、同一番組群から検出番組を除いた番組（つまり、残りの番組）に基づいて、映像選択肢および音声選択肢を再表示させる。このように、ユーザが視聴している番組の映像および音声のいずれかが終了するときに、残りの番組をユーザに提示するため、ユーザは、視聴している番組の終了時以降でも放送を継続している番組を容易に選択できる。
【００１６】
また、さらに、前記検出番組の終了後に、前記検出番組を他のチャンネルで継続して放送している番組であるイベントリレー番組が放送されるか否かを判定する判定部を備え、前記表示制御部は、前記イベントリレー番組が放送されると前記判定部により判定された場合、前記検出番組の放送が終了したときに、当該検出番組から前記イベントリレー番組に切り替えて映像または音声を再生する旨を通知するメッセージを前記表示部に表示させてもよい。
【００１７】
これによれば、ユーザが視ている映像が含まれる番組、および、ユーザが聴いている音声が含まれる番組のいずれかの放送が終了することが検出された場合、終了する番組が放送されているチャンネルから、イベントリレー番組が放送されるチャンネルに切り替えて映像または音声を再生する旨を通知するメッセージを表示部に表示させる。このため、ユーザは、視聴中の番組からイベントリレー番組に切り替わることを把握することができる。
【００１８】
また、前記再生部は、前記検出番組の放送が終了したときに、当該検出番組から前記イベントリレー番組に切り替えて映像または音声を再生してもよい。
【００１９】
これによれば、視聴中の映像または音声を放送している番組の終了が検出された場合に、終了が検出された番組のチャンネルからイベントリレー番組が放送されるチャンネルに自動的に切り替えて映像または音声を再生する。このため、ユーザは、何ら入力を行うことなく自分が選択した好みの映像または音声を継続して視聴することができる。
【００２０】
また、前記表示制御部は、前記同一番組群から前記検出番組を除いた番組に音声のみが含まれる場合に、当該音声を再生させるか否かをユーザに選択させる画像を前記表示部に表示させてもよい。
【００２１】
このため、ユーザは、他に同一のコンテンツを放送している映像がないことを認識できる。また、ユーザは、継続して音声のみを聴くか否かを、選択することができる。
【００２２】
また、前記取得部は、さらに、前記コンテンツがスポーツを含む試合である場合に、当該試合の結果をインターネット上の試合速報提供サーバから取得し、前記表示制御部は、前記同一番組群から前記検出番組を除いた結果に番組が存在しない場合、前記取得部により前記試合の結果が取得されたときに、当該試合の結果を前記表示部に表示させてもよい。
【００２３】
これによれば、試合が終了していない場合であって、当該試合を放送している番組が終了した場合であっても、例えば、継続して番組再生装置で他の番組を視聴していれば、当該試合が終了したときに当該試合の結果を表示させる。このため、ユーザは、視聴していた試合の結果を、検索しなくても確認することができる。
【００２４】
なお、本発明は、このような特徴的な処理部を備える番組再生装置として実現することができるだけでなく、番組再生装置に含まれる特徴的な処理部が実行する処理をステップとする番組再生方法として実現することができる。また、番組再生装置に含まれる特徴的な処理部としてコンピュータを機能させるためのプログラムまたは番組再生方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体やインターネット等の通信ネットワークを介して流通させることができるのは、言うまでもない。
【発明の効果】
【００２５】
本発明によると、複数の放送媒体で同一のコンテンツが放送されている場合に、ユーザが自分の好みの映像および音声を視聴することができる。
【図面の簡単な説明】
【００２６】
【図１】図１は、実施の形態１に係る番組再生装置が含まれるテレビの外観斜視図である。
【図２】図２は、テレビのハードウェア構成を示すブロック図である。
【図３】図３は、実施の形態１に係る番組再生装置の機能構成を示すブロック図である。
【図４】図４は、実施の形態１に係る番組再生装置による番組再生処理を示すフローチャートである。
【図５Ａ】図５Ａは、検索部による検索の結果に同一番組が含まれている場合にテレビの表示部に表示するメッセージ画面の一例である。
【図５Ｂ】図５Ｂは、ユーザによる入力に応じてテレビの表示部に表示されるメニュー画面の一例である。
【図５Ｃ】図５Ｃは、テレビの表示部に表示される選択肢画面の一例である。
【図６】図６は、実施の形態２に係る番組再生装置の機能構成を示すブロック図である。
【図７】図７は、実施の形態２に係る番組再生装置による番組終了検出処理を示すフローチャートである。
【図８】図８は、テレビの表示部に表示される、ラジオ番組を継続して視聴するか否かをユーザに確認するためのダイアログ画面の一例である。
【図９】図９は、テレビの表示部に表示される、全ての番組がなくなる旨を通知するメッセージ画面の一例である。
【図１０Ａ】図１０Ａは、テレビの表示部に表示される、番組構成が変わる旨を通知するメッセージ画面の一例である。
【図１０Ｂ】図１０Ｂは、視聴番組が終了した後で、テレビの表示部に表示される選択肢画面の一例である。
【図１１】図１１は、実施の形態３に係る番組再生装置の機能構成を示すブロック図である。
【図１２Ａ】図１２Ａは、実施の形態３に係る番組再生装置による終了検出処理を示すフローチャートである。
【図１２Ｂ】図１２Ｂは、実施の形態３に係る番組再生装置による終了検出処理を示すフローチャートである。
【図１３Ａ】図１３Ａは、テレビの表示部に表示される、イベントリレー番組がある場合に番組構成が変わる旨を通知するメッセージ画面の一例である。
【図１３Ｂ】図１３Ｂは、イベントリレー番組に移行した場合に、テレビの表示部に表示される選択肢画面の一例である。
【図１４Ａ】図１４Ａは、実施の形態４に係る番組再生装置による終了検出処理を示すフローチャートである。
【図１４Ｂ】図１４Ｂは、実施の形態４に係る番組再生装置による終了検出処理で行われる通知処理を示すフローチャートである。
【図１５】図１５は、テレビの表示部に表示される、試合結果通知が必要であるか否かを確認するためのダイアログ画面の一例である。
【図１６】図１６は、テレビの表示部に表示される、試合結果画面の一例である。
【図１７】図１７は、試合結果画面の試合結果の画像を表示制御部が生成する元になるデータを示す図である。
【発明を実施するための形態】
【００２７】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２８】
（実施の形態１）
図１は、実施の形態１に係る番組再生装置が含まれるテレビの外観斜視図である。図２は、テレビのハードウェア構成を示すブロック図である。
【００２９】
図２に示すように、テレビ１は、複数のチューナ１１ａ、１１ｂ、複数のＴＳ（Ｔｒａｎｓｐｏｒｔ  Ｓｔｒｅａｍ）デコーダ１２ａ、１２ｂ、通信部１３、音声ストリームデコーダ１４、データファイル解析回路１５、映像処理回路１６、音声処理回路１７、データ処理回路１８、表示制御回路１９、表示部２０、およびスピーカ２１を備えている。また、テレビ１は、インターネット２を介して試合速報提供サーバ３およびＷｅｂラジオサーバ４に接続されている。試合速報提供サーバ３は、例えば、ＨＴＭＬデータにより、例えば、野球やサッカーなどのスポーツの試合の結果や、当該試合の経過を示す情報を提供するサーバである。また、Ｗｅｂラジオサーバ４は、インターネットにより音声ストリームを配信するサーバであり、例えば、ＩＰサイマルラジオ（Ｉｎｔｅｒｎｅｔ  Ｐｒｏｔｏｃｏｌ  ｓｉｍｕｌｃａｓｔ  ｒａｄｉｏ）のようにラジオ番組（音声番組）をリアルタイムにストリーミング配信するサーバや、オンデマンド方式でストリーミング配信するサーバを含む。
【００３０】
複数のチューナ１１ａ、１１ｂは、外部のアンテナから所定の周波数の放送波を受信して、受信した放送波からトランスポート・ストリームを抽出する。なお、ここでいう「放送波」は、テレビ放送（地上デジタル放送、ＢＳデジタル放送、ＣＳデジタル放送、アナログ放送などを含む）、ラジオ放送（ＦＭラジオ、ＡＭラジオ、短波放送などを含む）などを放送するための電波を含む。また、「放送波」は、ケーブルテレビなどの有線放送により提供される信号を含んでいてもよい。
【００３１】
複数のＴＳデコーダ１２ａ、１２ｂは、それぞれ複数のチューナ１１ａ、１１ｂに対応している。複数のＴＳデコーダ１２ａ、１２ｂのそれぞれは、複数のチューナ１１ａ、１１ｂで抽出されたトランスポート・ストリームから、映像ストリーム信号、音声ストリーム信号、データ信号を取り出す。
【００３２】
通信部１３は、インターネット２を介して、試合速報提供サーバ３から試合速報データを受信する。また、通信部１３は、インターネット２を介して、Ｗｅｂラジオサーバ４からＷｅｂラジオの音声ストリーム信号を受信する。また、通信部１３は、Ｗｅｂラジオサーバ４により提供される音声ストリームの配信がサイマル配信の音声番組の場合には、当該音声番組の番組表を示すデータを受信する。
【００３３】
音声ストリームデコーダ１４は、通信部１３により受信された音声ストリーム信号を取り出して、取り出した音声ストリーム信号を音声処理回路１７に送信する。
【００３４】
データファイル解析回路１５は、通信部１３により受信された試合速報データを解析し、例えば、文字図形プレーンで表示させる画像を生成する。
【００３５】
映像処理回路１６は、複数のＴＳデコーダ１２ａ、１２ｂで取り出された映像ストリーム信号を復号して、復号した結果である映像を表示制御回路１９に送信する。
【００３６】
音声処理回路１７は、複数のＴＳデコーダ１２ａ、１２ｂで取り出された音声ストリーム信号、または、音声ストリームデコーダ１４で取り出された音声ストリーム信号を復号して、復号した結果である音声をスピーカ２１に出力させる。
【００３７】
データ処理回路１８は、複数のＴＳデコーダ１２ａ、１２ｂで取り出されたデータ信号を復号して、復号した結果として例えばＥＰＧ（Ｅｌｅｃｔｒｏｎｉｃ  Ｐｒｏｇｒａｍ  Ｇｕｉｄｅ）を示す画像を生成する。
【００３８】
表示制御回路１９は、映像処理回路１６により復号された映像を表示部２０に表示させる。また、表示制御回路１９は、データ処理回路１８により生成された画像を表示部２０に表示させる。また、表示制御回路１９は、データファイル解析回路１５により生成された画像を表示部２０に表示させる。
【００３９】
表示部２０は、例えば、液晶ディスプレイ、有機ＥＬディスプレイ、プラズマディスプレイなどであり、表示制御回路１９から送信されてきた映像または画像を表示する。
【００４０】
スピーカ２１は、音声処理回路１７により送信されてきた音声を出力する。
【００４１】
図３は、実施の形態１に係る番組再生装置の機能構成を示すブロック図である。つまり、図２により示されるハードウェア構成によって発揮されるテレビ１の機能のうち、主に本実施の形態の番組再生装置１００の番組再生処理に関わる機能の構成を示すブロック図である。番組再生装置１００は、複数の放送媒体で放送されており、かつ、映像および音声のうちの少なくとも音声が含まれる番組を再生する装置である。なお、ここでいう「複数の放送媒体」とは、例えば、テレビ放送、ラジオ放送、インターネット放送などの放送媒体である。
【００４２】
番組再生装置１００は、機能的には、取得部１０１と、再生部１０２と、検索部１０３と、表示制御部１０４と、入力受付部１０５と、選択部１０６とを備える。番組再生装置１００は、表示部２０およびスピーカ２１と通信可能な状態で接続されている。
【００４３】
取得部１０１は、図２における複数のチューナ１１ａ、１１ｂ、複数のＴＳデコーダ１２ａ、１２ｂ、通信部１３、音声ストリームデコーダ１４、データファイル解析回路１５などによって実現される。取得部１０１は、番組と、複数の放送媒体の番組表とを取得する。取得部１０１は、具体的には、放送波をアンテナおよび各チューナ１１ａ、１１ｂにより受信することにより、番組を示す番組データおよび番組表（ＥＰＧ）を示す番組表データを取得してもよい。また、取得部１０１は、インターネット２を介して音声ストリーム信号を通信部１３により受信することにより、番組を示す番組データおよび番組表を示す番組表データを取得してもよい。
【００４４】
再生部１０２は、図２における映像処理回路１６、音声処理回路１７などによって実現される。再生部１０２は、図２の映像処理回路１６に相当する映像処理部１１１と、図２の音声処理回路１７に相当する音声処理部１１２とを有する。再生部１０２は、これらの映像処理部１１１および音声処理部１１２を用いて、取得部１０１によって取得された番組を示す番組データを再生する。
【００４５】
映像処理部１１１は、後述する選択部１０６により映像選択肢から選択された映像を再生し、再生した結果を表示制御部１０４に出力してもよい。音声処理部１１２は、選択部１０６により選択された音声を再生した結果を出力してもよい。
【００４６】
検索部１０３は、例えば、図２における表示制御回路１９によって実現される処理部、または、図示しないＣＰＵおよびＲＯＭに記憶されているプログラムなどによって実現される処理部である。検索部１０３は、取得部１０１により取得された番組表データから、再生部１０２により再生されている番組である視聴番組と同一のコンテンツが放送されている番組とからなる同一番組の検索を行う。なお、ここでいう「同一のコンテンツ」とは、撮影された時間帯および撮影された場所が共通している映像であり、例えば、スポーツの試合、コンサートなどのイベントが生中継されることで生成されるコンテンツである。検索部１０３は、より具体的には、番組表データにより示される番組表により示される複数の番組であって、視聴番組の放送時間と同一の時間帯に放送される複数の番組の中から、視聴番組の番組情報が所定の割合以上一致する番組情報を有する番組を、同一番組として検索する。
【００４７】
表示制御部１０４は、図２における表示制御回路１９などによって実現される。表示制御部１０４は、検索部１０３による検索の結果に同一番組が含まれる場合、視聴番組と同一番組とからなる同一番組群に含まれる１つの映像を再生部１０２で再生させ、かつ、同一番組群に含まれる１つの音声を再生部１０２で再生させるための選択肢２３１（後述の図５Ｃを参照）を表示部２０に表示させる。より具体的には、表示制御部１０４は、同一番組群に複数の映像が含まれる場合、複数の映像のいずれか１つを再生部１０２で再生させることための映像選択肢２３２（後述の図５Ｃを参照）を選択肢として表示部２０に表示させてもよい。また、表示制御部１０４は、同一番組群に複数の音声が含まれる場合、複数の音声のいずれか１つを再生部１０２で再生させるための音声選択肢２３３（後述の図５Ｃを参照）を選択肢として表示部２０に表示させてもよい。また、表示制御部１０４は、映像処理部１１１により出力された、映像が再生された結果を表示部２０に表示させてもよい。
【００４８】
入力受付部１０５は、図示しない入力インターフェース、ＣＰＵなどによって実現される。入力受付部１０５は、ユーザによる入力を受け付ける。入力受付部１０５は、具体的には、ユーザによって操作されたリモコンの信号を受信する入力インターフェースであってもよいし、キーボードなどの入力装置から入力信号を受信する入力インターフェースであってもよい。
【００４９】
選択部１０６は、例えば、図２における表示制御回路１９によって実現される処理部、または、図示しないＣＰＵおよびＲＯＭに記憶されているプログラムなどによって実現される処理部である。選択部１０６は、入力受付部１０５において受け付けられた入力に応じて、映像選択肢で選択可能な複数の映像のいずれかを選択し、かつ、音声選択肢で選択可能な複数の音声のいずれかを選択する。
【００５０】
次に、番組再生装置１００の動作の一つである番組再生処理について、図４を用いて説明する。番組再生処理は、ユーザにより所定の番組が視聴されているときに行われる処理である。なお、番組再生処理は、ユーザにより予め設定された情報に応じて、実行されるような処理としてもよい。つまり、番組再生処理は、ユーザが実行することを予め設定している場合のみに行われてもよい。
【００５１】
図４は、実施の形態１に係る番組再生装置による番組再生処理を示すフローチャートである。
【００５２】
まず、取得部１０１は、現在ユーザにおり視聴されている視聴番組の番組名を取得する（Ｓ１０１）。つまり、取得部１０１は、再生部１０２によりそのときに再生されている番組である視聴番組の番組名を取得する。
【００５３】
次に、取得部１０１は、テレビ番組表およびラジオ番組表を取得する（Ｓ１０２）。
【００５４】
次に、検索部１０３は、取得部により取得されたテレビ番組表およびラジオ番組表の視聴番組と同時間帯に放送されている複数の番組の番組名のうちの１つと、取得部１０１により取得された番組名とを比較する（Ｓ１０３）。
【００５５】
検索部１０３は、ステップＳ１０３での比較の結果、当該比較の対象となった番組の番組名と、視聴番組の番組名との一致率が所定の値（例えば８０％）以上であるか否かを判定する（Ｓ１０４）。
【００５６】
検索部１０３は、ステップＳ１０４での判定の結果、比較の対象となった番組の番組名と、視聴番組の番組名との一致率が所定の値以上である場合（Ｓ１０４：Ｙｅｓ）、当該比較の対象となった番組を同一番組として登録する（Ｓ１０５）。
【００５７】
一方で、検索部１０３は、ステップＳ１０４での判定の結果、比較の対象となった番組の番組名と視聴番組の番組名との一致率が所定の値未満である場合（Ｓ１０４：Ｎｏ）、当該比較の対象となった番組を同一番組として登録しない（Ｓ１０６）。
【００５８】
検索部１０３は、ステップＳ１０５またはステップＳ１０６が行われた後に、ステップＳ１０３において行われた番組名の比較が、視聴番組と同時間帯に放送されている複数の番組のすべてと行われたか否かを判定する（Ｓ１０７）。
【００５９】
検索部１０３は、ステップＳ１０７での判定の結果、すべての番組との比較が完了したと判定した場合（Ｓ１０７：Ｙｅｓ）、同一番組として登録された番組があるか否かを判定する（Ｓ１０８）。一方で、検索部１０３は、ステップＳ１０７での判定の結果、すべての番組との比較が完了していないと判定した場合（Ｓ１０７：Ｎｏ）、まだ比較されていない残りの番組のうちの１つについて、ステップＳ１０３の比較を繰り返す。
【００６０】
そして、同一番組として登録された番組があると判定された場合（Ｓ１０８：Ｙｅｓ）、表示制御部１０４は、視聴番組と同一番組として登録された番組とである同一番組群に含まれる１つの映像を再生部１０２で再生させ、かつ、同一番組群に含まれる１つの音声を再生部１０２で再生させるための選択肢を表示部２０に表示させる（Ｓ１０９）。具体的には、表示制御部１０４は、上述したような映像選択肢および音声選択肢を表示部２０に表示させる。一方で、同一番組として登録された番組がないと判定された場合（Ｓ１０８：Ｎｏ）、視聴番組の再生を継続させて、番組再生処理を終了する。
【００６１】
次に、選択部１０６は、入力受付部１０５で受け付けられたユーザの入力に応じて、映像選択肢のうちの１つの映像が選択され、かつ、音声選択肢のうちの１つの音声が選択されたか否かを判定する（Ｓ１１０）。
【００６２】
次に、映像選択肢のうちの１つの映像が選択され、かつ、音声選択肢のうちの１つの音声が選択されたと判定された場合（Ｓ１１０：Ｙｅｓ）、再生部１０２は、選択部１０６により選択された映像および音声を再生し（Ｓ１１１）、番組再生処理を終了する。一方で、映像選択肢のうちの１つの映像が選択されていない、または、音声選択肢のうちの１つの音声が選択されていないと判定された場合には、ステップＳ１１０が繰り返される。つまり、再生部１０２は、映像選択肢のうちの１つの映像が選択され、かつ、音声選択肢のうちの１つの音声が選択されたと選択部１０６により判定されるまで、映像および音声の再生を待機する。
【００６３】
図５Ａは、検索部による検索の結果に同一番組が含まれている場合にテレビの表示部に表示するメッセージ画面の一例である。図５Ｂは、ユーザによる入力に応じてテレビの表示部に表示されるメニュー画面の一例である。図５Ｃは、テレビの表示部に表示される選択肢画面の一例である。
【００６４】
図４のフローチャートでは、ステップＳ１０９で図５Ｃに示すような選択肢画面２３０が表示されると説明したが、図５Ａに示すようなメッセージ画面２１０を表示させてもよい。このメッセージ画面２１０では、同一番組を検出したことを通知するメッセージと、同一番組をメニューのサービスリストから確認できる旨を通知するメッセージとが含まれるメッセージ２１１が表示される。
【００６５】
この場合、ユーザは、リモコンなどの入力装置からメニューを表示させる入力を行えば、図５Ｂに示されるようにメニュー画面２２０が表示される。メニュー画面２２０では、画質設定メニュー、画質設定メニュー、およびサービスリストメニューが含まれるメニュー２２１が表示される。ここで、画質設定メニューがユーザにより選択されれば、画質設定を行うためのＵＩ（Ｕｓｅｒ  Ｉｎｔｅｒｆａｃｅ）（図示せず）が表示される。また、音声設定メニューがユーザにより選択されれば、音声設定を行うためのＵＩ（図示せず）が表示される。そして、サービスリストメニューがユーザにより選択されれば、図５Ｃに示すような検出された同一番組群を含む選択肢の映像および音声を選択させるためのＵＩ（選択肢画面２３０）が表示される。
【００６６】
図５Ｃに示すように、選択肢画面２３０では、映像選択肢２３２および音声選択肢２３３が含まれる選択肢２３１が表示される。図５Ｃの例では、同一番組群に含まれる映像である映像選択肢２３２としての映像サービスリストと、同一番組群に含まれる音声である音声選択肢２３３としての音声サービスリストとが表示される。具体的には、映像選択肢２３２には、同一番組群の「番組名／放送媒体およびチャンネル／解像度」が表示され、選択されているリストに選択されていることを示すマーク（三角印）が表示される。また、音声選択肢２３３には、同一番組群の「番組名／放送媒体およびチャンネル／」が表示され、選択されているリストに選択されていることを示すマーク（三角印）が表示される。ユーザは、リモコンなどの入力装置を操作することにより、映像選択肢２３２および音声選択肢２３３のいずれかを選択し、選択された選択肢に表示されているマークをリモコンの十字キーなどで上下方向に動かすことで、好みの映像および音声を選択することができる。
【００６７】
なお、検索部１０３の検索の結果、同一番組群にラジオ番組が含まれている場合には、同一番組群に含まれる映像が１つのみとなる場合がある。このような場合には、表示制御部１０４は、映像選択肢２３２に当該１つの映像を含む番組を表示させてもよいし、映像選択肢２３２を表示させずに、音声選択肢２３３のみを表示させてもよい。なお、映像選択肢２３２を表示させない場合には、表示制御部１０４は、同一番組群に含まれる音声のみが複数であることをユーザに知らせるためのメッセージを表示してもよい。
【００６８】
本実施の形態１に係る番組再生装置１００によれば、ユーザが現在視聴している視聴番組と同一のコンテンツが放送されている番組である同一番組の検索を各放送媒体の番組表から行う。そして、視聴番組と検索の結果である同一番組とからなる同一番組群に含まれる映像が複数ある場合、表示制御部１０４は、複数の映像のいずれか１つを再生部１０２で再生させるための映像選択肢２３２を表示部２０に表示させる。さらに、同一番組群に含まれる音声が複数ある場合、表示制御部１０４は、複数の音声のいずれか１つを再生部１０２で再生させるための音声選択肢２３３を表示部２０に表示させる。このため、ユーザは、複数の番組で同一のコンテンツが放送されている場合、所望の映像と所望の音声との組み合わせを選択できる。このように、複数の番組で同一のコンテンツが放送されている場合、ユーザは、自分の好みの映像および音声の組み合わせで、当該映像および当該音声が含まれるコンテンツを再生することを選択することができる。
【００６９】
また、本実施の形態１に係る番組再生装置１００によれば、映像処理部１１１が映像選択肢２３２でユーザにより選択された映像を表示制御部１０４に出力し、かつ、音声処理部１１２が音声選択肢２３３でユーザにより選択された音声をスピーカ２１から出力させる。このため、ユーザは、映像選択肢２３２で選択した映像と、音声選択肢２３３で選択した音声の組み合わせで、当該映像および当該音声が含まれるコンテンツを視聴することができる。
【００７０】
（実施の形態２）
図６は、実施の形態２に係る番組再生装置の機能構成を示すブロック図である。
【００７１】
実施の形態２に係る番組再生装置１００ａは、実施の形態１に係る番組再生装置１００の構成に加えて、さらに、終了検出部１０７を備える。また、実施の形態２に係る番組再生装置１００ａは、表示制御部１０４ａが、さらに、終了検出部１０７の処理の結果を用いた処理を行うことが実施の形態１に係る番組再生装置１００の構成と異なる。番組再生装置１００ａにおける、表示制御部１０４ａおよび終了検出部１０７以外の構成は、実施の形態１に係る番組再生装置１００と同様であるため説明を省略する。
【００７２】
終了検出部１０７は、例えば、図２における表示制御回路１９によって実現される処理部、または、図示しないＣＰＵおよびＲＯＭに記憶されているプログラムなどによって実現される処理部である。終了検出部１０７は、再生部１０２により再生されている映像が含まれる番組と、再生部１０２により再生されている音声が含まれる番組とのいずれかの放送が終了することを検出する。なお、終了検出部１０７は、放送媒体がテレビ放送の場合には、ＥＰＧデータの元になるＥＩＴ（Ｅｖｅｎｔ  Ｉｎｆｏｒｍａｔｉｏｎ  Ｔａｂｌｅ）データに基づいて当該放送の終了を検出する。また、終了検出部１０７は、放送媒体がラジオ放送またはインターネット放送の場合には、インターネット上で公開されている試合経過データに基づいて当該試合が終了した時点で当該放送の終了を検出する。
【００７３】
表示制御部１０４ａは、同一番組群から終了検出部１０７で検出された番組である検出番組を除いた番組に含まれる１つの映像を再生部１０２で再生させ、かつ、当該除いた番組に含まれる１つの音声を再生部で再生させるための選択肢２７１（後述の図９Ｃを参照）を表示部２０に表示させる。より具体的には、表示制御部１０４ａは、同一番組群から検出番組を除いた番組に複数の映像が含まれる場合、複数の映像のいずれか１つを再生部１０２で再生させるための映像選択肢２７２（後述の図９Ｃを参照）を選択肢として表示部２０に表示させてもよい。また、表示制御部１０４は、同一番組群から検出番組を除いた番組に複数の音声が含まれる場合、複数の音声のいずれか１つを再生部１０２で再生させるための音声選択肢２７３（後述の図９Ｃを参照）を選択肢として表示部２０に表示させてもよい。
【００７４】
また、表示制御部１０４ａは、同一番組群から検出番組を除いた番組に音声のみが含まれる場合に、当該音声を再生させるか否かをユーザに選択させる画像を表示部２０に表示させる。つまり、表示制御部１０４ａは、同一番組群から検出番組を除いた番組が、ラジオ番組やインターネット放送の音声番組のみである場合に、当該音声による番組を再生させるか否かをユーザに選択させる画像を表示部２０に表示させる。
【００７５】
図７は、実施の形態２に係る番組再生装置による終了検出処理を示すフローチャートである。
【００７６】
終了検出処理は、実施の形態１で説明した図４の番組再生処理において、ユーザにより選択された映像および音声でコンテンツが再生されているときに行われる処理である。
【００７７】
まず、終了検出部１０７は、再生部１０２により再生されている映像が含まれる番組と、再生部１０２により再生されている音声が含まれる番組とのいずれかの番組の終了を検出したか否かを判定する（Ｓ２０１）。
【００７８】
再生部１０２により再生されている映像が含まれる番組と、再生部１０２により再生されている音声が含まれる番組とのいずれかの番組の終了が検出された場合（Ｓ２０１：Ｙｅｓ）、表示制御部１０４ａは、残りの番組があるか否かを判定する（Ｓ２０２）。つまり、表示制御部１０４ａは、終了検出部１０７により視聴番組の終了が検出された場合、終了が検出された検出番組を同一番組群から除いた番組に、少なくとも音声があるか否かを判定する。一方で、表示制御部１０４ａは、再生部１０２により再生されている映像が含まれる番組と、再生部１０２により再生されている音声が含まれる番組とのいずれかの番組の終了が検出されなかった場合（Ｓ２０１：Ｎｏ）、ステップＳ２０１を繰り返す。つまり、表示制御部１０４ａは、終了検出部１０７により視聴番組の終了が検出されるまで、ステップＳ２０２の残りの番組（つまり、検出番組を同一番組群から除いた番組）があるか否かの判定を行うことを待機する。
【００７９】
表示制御部１０４ａは、残りの番組があると判定した場合（Ｓ２０２：Ｙｅｓ）、当該残りの番組がラジオ番組のみであるか否かを判定する（Ｓ２０３）。
【００８０】
表示制御部１０４ａは、残りの番組がラジオ番組のみであると判定した場合（Ｓ２０３：Ｙｅｓ）、当該ラジオ番組を継続して視聴するか否かをユーザに確認する（Ｓ２０４）。具体的には、表示制御部１０４ａは、この場合、当該ラジオ番組を継続して視聴するか否かをユーザに確認するためのダイアログ画面２４０（図８を参照）を表示部２０に表示させる。ここで、図８は、テレビの表示部に表示される、ラジオ番組を継続して視聴するか否かをユーザに確認するためのダイアログ画面の一例である。図８に示すように、ダイアログ画面２４０では、ラジオ番組を継続して視聴するか否かをユーザが選択可能なＵＩ（ダイアログ２４１）が表示される。ユーザは、ダイアログ２４１において、「Ｙｅｓ」または「Ｎｏ」を選択するための入力を行うことで、ラジオ番組を継続して視聴するか否かの意思を示すことができる。
【００８１】
表示制御部１０４ａは、入力受付部１０５により受け付けられた入力が、視聴を継続することを示しているか否かを判定する（Ｓ２０５）。具体的には、ダイアログ画面２４０のダイアログ２４１でユーザにより「Ｙｅｓ」が選択されたか、「Ｎｏ」が選択されたかを判定する。
【００８２】
表示制御部１０４ａは、入力受付部１０５により受け付けられた入力が、視聴を継続することを示していると判定した場合（Ｓ２０５：Ｙｅｓ）、当該ラジオ番組の視聴を継続し（Ｓ２０６）、終了検出処理を終了する。
【００８３】
ここで、表示制御部１０４ａは、ステップＳ２０２において残りの番組がないと判定した場合（Ｓ２０２：Ｎｏ）、もしくは、ステップＳ２０５においてラジオ番組の視聴を継続しないことを示していると判定した場合（Ｓ２０５：Ｎｏ）、全ての番組がなくなる旨を通知するメッセージ画面２５０（図９を参照）を表示部２０に表示させ、終了検出処理を終了する。ここで、図９は、テレビの表示部に表示される、全ての番組がなくなる旨を通知するメッセージ画面の一例である。図９に示すように、メッセージ画面２５０では、同一内容の番組が全て終了したことを通知するメッセージ２５１が表示される。
【００８４】
また、表示制御部１０４ａは、ステップＳ２０３において残りの番組がラジオ番組のみでないと判定した場合（Ｓ２０３：Ｎｏ）、番組構成が変わる旨を通知するメッセージ画面２６０（図１０Ａを参照）を表示させる（Ｓ２０８）。ここで、図１０Ａは、テレビの表示部に表示される、番組構成が変わる旨を通知するメッセージ画面の一例である。このメッセージ画面２６０では、視聴番組が終了し、視聴番組と同一内容の同一番組が別のチャンネルで放送されていることを通知するメッセージと、同一番組をメニューのサービスリストから確認できる旨を通知するメッセージとが含まれるメッセージ２６１が表示される。
【００８５】
次に、表示制御部１０４ａは、ユーザによるサービスリストを表示させるための入力が入力受付部１０５により受け付けられたか否かを判定する（Ｓ２０９）。そして、表示制御部１０４ａは、サービスリストを表示させるための入力があると判定した場合（Ｓ２０９：Ｙｅｓ）、サービスリストとして選択肢画面２７０（図１０Ｂ参照）を表示部２０に表示させる（Ｓ２１０）。一方で、表示制御部１０４ａは、サービスリストを表示させるための入力がないと判定した場合（Ｓ２０９：Ｎｏ）、ステップＳ２０９を繰り返す。つまり、表示制御部１０４ａは、サービスリストを表示させるための入力が入力受付部１０５により受け付けられるまで、サービスリストの表示を行わせることを待機する。具体的には、ユーザは、リモコンなどの入力装置からメニューを表示させる入力を行えば、図５Ｂと同様のメニュー画面２２０が表示される。そして、サービスリストメニューがユーザにより選択されれば、図１０Ｂに示すような、選択肢の映像および音声を選択させるためのＵＩ（選択肢画面２７０）が表示されることになる。なお、この例では、ユーザからの入力に応じて、一旦メニュー画面２２０を表示させた後に、選択肢画面２７０を表示させているが、ユーザからの入力に応じて直接選択肢画面２７０を表示させるようにしてもよい。
【００８６】
なお、図１０Ｂは、視聴番組が終了した後で、テレビの表示部に表示される選択肢画面の一例である。図１０Ｂに示すように、選択肢画面２７０では、映像選択肢２７２および音声選択肢２７３が含まれる選択肢２７１が表示される。図１０Ｂの例では、残りの番組（つまり、検出番組を同一番組群から除いた番組）に含まれる映像である映像選択肢２７２としての映像サービスリストと、当該残りの番組に含まれる音声である音声選択肢２７３としての音声サービスリストとが表示される。なお、映像選択肢２７２および音声選択肢２７３で表示される内容は、それぞれ、図５Ｃで説明した、映像選択肢２３２および音声選択肢２３３と同様であるので説明を省略する。
【００８７】
次に、選択部１０６は、入力受付部１０５で受け付けられたユーザの入力に応じて、映像選択肢のうちの１つの映像が選択され、かつ、音声選択肢のうちの１つの音声が選択されたか否かを判定する（Ｓ２１１）。
【００８８】
次に、映像選択肢のうちの１つの映像が選択され、かつ、音声選択肢のうちの１つの音声が選択されたと判定された場合（Ｓ２１１：Ｙｅｓ）、再生部１０２は、選択部１０６により選択された映像および音声を再生し（Ｓ２１２）、終了検出処理を終了する。一方で、映像選択肢のうちの１つの映像が選択されていない、または、音声選択肢のうちの１つの音声が選択されていないと判定された場合には、ステップＳ２１１が繰り返される。つまり、再生部１０２は、映像選択肢のうちの１つの映像が選択され、かつ、音声選択肢のうちの１つの音声が選択されたと選択部１０６により判定されるまで、映像および音声の再生を待機する。
【００８９】
本実施の形態２に係る番組再生装置１００ａによれば、ユーザが視ている映像が含まれる番組、および、ユーザが聴いている音声が含まれる番組のいずれかの放送が終了することが検出された場合、同一番組群から放送が終了することが検出された番組を除いた番組（つまり、残りの番組）に基づいて、映像選択肢２７２および音声選択肢２７３を再表示させる。このように、ユーザが視聴している番組の映像および音声のいずれかが終了するときに、残りの番組をユーザに提示するため、ユーザは、視聴している番組の終了時以降でも放送を継続している番組を容易に選択できる。
【００９０】
また、本実施の形態２に係る番組再生装置１００ａによれば、表示制御部１０４ａは、同一番組群から検出番組を除いた番組に音声のみが含まれる場合に、当該音声を再生させるか否かをユーザに選択させるダイアログ画面２４０を表示部２０に表示させる。このため、ユーザは、他に同一のコンテンツを放送している映像がないことを認識できる。また、ユーザは、継続して音声のみを聴くか否かを、選択することができる。
【００９１】
（実施の形態３）
図１１は、実施の形態３に係る番組再生装置の機能構成を示すブロック図である。
【００９２】
実施の形態３に係る番組再生装置１００ｂは、実施の形態２に係る番組再生装置１００ａの構成に加えて、さらに、判定部１０８を備える。また、実施の形態３に係る番組再生装置１００ｂは、再生部１０２ｂと、検索部１０３ｂと、表示制御部１０４ｂとが、さらに、判定部１０８の処理の結果を用いた処理を行うことが実施の形態２に係る番組再生装置１００ａの構成と異なる。番組再生装置１００ｂにおける、再生部１０２ｂ、検索部１０３ｂ、表示制御部１０４ｂ、および判定部１０８以外の構成は、実施の形態２に係る番組再生装置１００ａと同様であるため説明を省略する。
【００９３】
判定部１０８は、例えば、図２における表示制御回路１９によって実現される処理部、または、図示しないＣＰＵおよびＲＯＭに記憶されているプログラムなどによって実現される処理部である。判定部１０８は、終了検出部１０７により検出された検出番組の終了後に、検出番組を他のチャンネルで継続して放送している番組であるイベントリレー番組が放送されるか否かを判定する。
【００９４】
表示制御部１０４ｂは、イベントリレー番組が放送されると判定部１０８により判定された場合、検出番組の放送が終了したときに、当該検出番組からイベントリレー番組に切り替えて映像または音声を再生する旨を通知するメッセージを表示部２０に表示させる。
【００９５】
また、再生部１０２ｂは、検出番組の放送が終了したときに、当該検出番組からイベントリレー番組に切り替えて映像または音声を再生する。具体的には、再生部１０２ｂでは、終了検出部１０７により検出された検出番組の放送が終了した場合、検出番組が映像処理部１１１で再生されている番組であれば、当該番組が放送されているチャンネルから、判定部１０８により判定されたイベントリレー番組が放送されるチャンネルに切り替えて、映像処理部１１１ｂがイベントリレー番組の映像を映像処理部１１１で再生する。また、再生部１０２ｂでは、検出番組の放送が終了した場合、検出番組が音声処理部１１２ｂで再生されている番組であれば、当該番組が放送されているチャンネルから、判定部１０８により判定されたイベントリレー番組が放送されるチャンネルに切り替えて、音声処理部１１２ｂがイベントリレー番組の音声を再生する。
【００９６】
図１２Ａおよび図１２Ｂは、実施の形態３に係る番組再生装置による終了検出処理を示すフローチャートである。
【００９７】
実施の形態３に係る終了検出処理は、図７で説明した実施の形態２に係る終了検出処理の、ステップＳ２０１でＹｅｓと判定された後に、ステップＳ３０１〜ステップＳ３０５がさらに行われる場合があることが異なる。
【００９８】
つまり、ステップＳ２０１において、終了検出部１０７ｂが再生部１０２ｂにより再生されている映像が含まれる番組と、再生部１０２ｂにより再生されている音声が含まれる番組とのいずれかの番組の終了を検出した場合（Ｓ２０１：Ｙｅｓ）、判定部１０８は、終了検出部により検出された検出番組の終了後に、当該検出番組に対応するイベントリレー番組が放送されるか否かを判定する（Ｓ３０１）。
【００９９】
判定部１０８によりイベントリレー番組が放送されないと判定された場合（Ｓ３０１：Ｎｏ）、表示制御部１０４ｂは、ステップＳ２０２と同じ処理を行う。ステップＳ２０２以降の処理は、図７で説明した実施の形態２の終了検出処理と同様であるため、説明を省略する。一方で、判定部１０８によりイベントリレー番組が放送されると判定された場合（Ｓ３０１：Ｙｅｓ）、再生部１０２ｂは、検出番組の放送が終了したときに、イベントリレー番組が放送されるチャンネルに切り替えて映像または音声を再生する（Ｓ３０２）。
【０１００】
次に、表示制御部１０４ｂは、番組構成が変わる旨を通知するメッセージ画面２８０（図１３Ａを参照）を表示させる（Ｓ３０３）。ここで、図１３Ａは、テレビの表示部に表示される、イベントリレー番組がある場合に番組構成が変わる旨を通知するメッセージ画面の一例である。このメッセージ画面２８０では、視聴番組が別チャンネルに移行することを通知するメッセージと、同一番組をメニューのサービスリストから確認できる旨を通知するメッセージとが含まれるメッセージ２８１が表示される。
【０１０１】
次に、表示制御部１０４ｂは、ユーザによるサービスリストを表示させるための入力が入力受付部１０５により受け付けられたか否かを判定する（Ｓ３０４）。そして、表示制御部１０４ｂは、サービスリストを表示させるための入力があると判定した場合（Ｓ３０４：Ｙｅｓ）、サービスリストとして選択肢画面２９０（図１３Ｂ参照）を表示部２０に表示させる（Ｓ３０５）。一方で、表示制御部１０４ｂは、サービスリストを表示させるための入力がないと判定した場合（Ｓ３０４：Ｎｏ）、ステップＳ３０４を繰り返す。つまり、表示制御部１０４ｂは、サービスリストを表示させるための入力が入力受付部１０５により受け付けられるまで、サービスリストの表示を行わせることを待機する。具体的には、ユーザは、リモコンなどの入力装置からメニューを表示させる入力を行えば、図５Ｂと同様のメニュー画面２２０が表示される。そして、サービスリストメニューがユーザにより選択されれば、図１３Ｂに示すような、選択肢の映像および音声を選択させるためのＵＩ（選択肢画面２９０）が表示されることになる。なお、この例では、ユーザからの入力に応じて、一旦メニュー画面２２０を表示させた後に、選択肢画面２９０を表示させているが、ユーザからの入力に応じて直接選択肢画面２９０を表示させるようにしてもよい。
【０１０２】
なお、図１３Ｂは、イベントリレー番組に移行した場合に、テレビの表示部に表示される選択肢画面の一例である。図１３Ｂに示すように、選択肢画面２９０では、映像選択肢２９２および音声選択肢２９３が含まれる選択肢２９１が表示される。図１３Ｂの例では、同一番組群のうちでイベントリレーによるチャンネルの移行が行われた番組を示す表示（図１３Ｂの「移行」）が映像選択肢２９２に表示される。また、音声選択肢２７３としての音声サービスリストとが表示される。図１３Ｂの例では、映像処理部１１１ｂにより再生されている番組が移行したことを示しているが、音声処理部１１２ｂにより再生されている番組がイベントリレー番組に移行した場合には、音声選択肢２９３においてイベントリレーによるチャンネルの移行が行われた番組を示す表示が表示されることになる。また、映像選択肢２９２では、イベントリレー番組が４８０ｉの低い解像度で放送されていることも表示される。なお、映像選択肢２９２および音声選択肢２９３で表示される内容は、イベントリレー番組に移行したことを示す表示以外では、それぞれ、図５Ｃで説明した、映像選択肢２３２および音声選択肢２３３と同様であるので説明を省略する。
【０１０３】
ステップＳ３０５が終了した場合、ステップＳ２１１が行われる。ステップＳ２１１以降の処理は、図７で説明した実施の形態２の終了検出処理と同様であるため、説明を省略する。
【０１０４】
なお、上述した終了検出処理では、ステップＳ３０２において、自動的にチャンネルを切り替えてイベントリレー番組を再生しているが、ステップＳ３０２の処理を必ずしも行わなくてもよい。
【０１０５】
本実施の形態３に係る番組再生装置１００ｂによれば、ユーザが視ている映像が含まれる番組、および、ユーザが聴いている音声が含まれる番組のいずれかの放送が終了することが検出された場合、終了する番組が放送されているチャンネルから、イベントリレーが放送されるチャンネルに切り替えて映像または音声を再生する旨を通知するメッセージ画面２８０を表示部２０に表示させる。このため、ユーザは、視聴中の番組からイベントリレー番組に切り替わることを把握することができる。
【０１０６】
また、本実施の形態３に係る番組再生装置１００ｂによれば、視聴中の映像または音声を放送している番組の終了が検出された場合に、終了が検出された番組のチャンネルからイベントリレー番組が放送されるチャンネルに自動的に切り替えて映像または音声を再生する。このため、ユーザは、何ら入力を行うことなく自分が選択した好みの映像または音声を継続して視聴することができる。
【０１０７】
（実施の形態４）
実施の形態４に係る番組再生装置の機能構成は、実施の形態３に係る番組再生装置１００ｂの機能構成と同様である。ただし、取得部１０１および表示制御部１０４ｂにより行われる処理の内容のみが異なる。
【０１０８】
取得部１０１は、さらに、視聴番組のコンテンツがスポーツを含む試合である場合に、当該試合の結果をインターネット上の試合速報提供サーバ３（図２参照）から取得する。
【０１０９】
表示制御部１０４ｂは、さらに、同一番組群から終了検出部１０７ｂにより番組の終了が検出された検出番組を除いた結果に番組が存在しない場合、取得部１０１により試合の結果が取得されたときに、当該試合の結果を表示部２０に表示させる。なお、この場合の表示制御部１０４ｂは、図２に示すデータファイル解析回路１５により実現されるものとする。
【０１１０】
図１４Ａは、実施の形態４に係る番組再生装置による終了検出処理を示すフローチャートである。図１４Ｂは、実施の形態に係る番組再生装置による通知処理を示すフローチャートである。
【０１１１】
実施の形態４に係る終了検出処理は、図１２で説明した実施の形態３に係る終了検出処理の、ステップＳ２０７が行われた後に、ステップＳ４００の通知処理がさらに行われることが異なる。なお、終了検出処理が行われるか否かにかかわらず、取得部１０１により、試合速報提供サーバ３から視聴番組のコンテンツがスポーツを含む試合の結果をインターネット上から定期的に取得されているものとする。
【０１１２】
ステップＳ２０７の処理が行われた後に、通知処理が行われる（Ｓ４００）。
【０１１３】
通知処理では、図１４Ｂに示すように、表示制御部１０４ｂは、視聴番組のコンテンツがスポーツを含む試合である場合に、試合終了時の結果通知が必要か否かをユーザに確認する（Ｓ４０１）。具体的には、表示制御部１０４ｂは、現在視聴中の試合の結果の通知が必要であるか否かを確認するためのダイアログ画面３００（図１５参照）を表示部２０に表示させる。なお、図１５は、テレビの表示部に表示される、試合結果通知が必要であるか否かを確認するためのダイアログ画面の一例である。図１５に示すように、ダイアログ画面３００では、試合結果通知が必要か否かをユーザが選択可能なＵＩ（ダイアログ３０１）が表示される。ユーザは、ダイアログ３０１において、「Ｙｅｓ」または「Ｎｏ」を選択するための入力を行うことで、試合結果通知が必要か否かの意思を示すことができる。
【０１１４】
表示制御部１０４ｂは、入力受付部１０５により受け付けられた入力が、試合結果通知を必要とすることを示しているか否かを判定する（Ｓ４０２）。具体的には、ダイアログ画面３００のダイアログ３０１でユーザにより「Ｙｅｓ」が選択されたか、「Ｎｏ」が選択されたかを判定する。
【０１１５】
表示制御部１０４ｂが、試合結果通知が必要であると判定した場合（Ｓ４０２：Ｙｅｓ）、試合が終了したか否かが終了検出部１０７ｂにより判定される（Ｓ４０３）。一方で、表示制御部１０４ｂが、試合結果通知が必要でないと判定した場合（Ｓ４０２：Ｎｏ）、終了検出処理を終了する。なお、ここで終了検出処理が終了された場合、テレビ１の電源が自動的にオフになるように制御してもよい。
【０１１６】
そして、終了検出部１０７ｂが、試合が終了したと判定した場合（Ｓ４０３：Ｙｅｓ）、表示制御部１０４ｂは、取得部１０１により取得された試合結果画面３１０（図１６参照）を表示部２０に表示することにより試合結果を通知し（Ｓ４０４）、通知処理を終了する。なお、図１６は、テレビの表示部に表示される、試合結果画面の一例である。このときに表示される試合結果画面３１０は、試合結果３１１が例えば画面の左下の隅に表示され、試合結果３１１以外の領域には、現在視聴している番組などのコンテンツの映像を表示してもよい。つまり、試合結果３１１は、現在視聴しているコンテンツの映像に重畳して表示されるようにしてもよい。なお、通知処理が終了すれば、終了検出処理も終了する。
【０１１７】
図１７は、試合結果画面の試合結果の画像を表示制御部が生成する元になるデータを示す図である。
【０１１８】
図１７に示すように、取得部１０１により取得される試合結果を示すＨＴＭＬデータからなる。このように、試合結果を示すデータは、ＨＴＭＬデータのように汎用的なデータであるため、特定の試合速報提供サーバ３でなくても、様々なサーバから取得できる。
【０１１９】
本実施の形態４に係る番組再生装置１００ｂによれば、試合が終了していない場合であって、当該試合を放送している番組が終了した場合であっても、例えば、継続して番組再生装置で他の番組を視聴していれば、当該試合が終了したときに当該試合の結果を表示させることができる。このため、ユーザは、視聴していた試合の結果を、検索しなくても確認することができる。
【０１２０】
以上、本発明の実施の形態に係る番組再生装置について説明したが、本発明は、この実施の形態に限定されるものではない。
【０１２１】
例えば、実施の形態１〜４に係る番組再生装置１００、１００ａ、１００ｂは、テレビ１によって実現されているが、テレビに限らずに、ビデオレコーダで実現してもよいし、タブレット端末などの情報端末で実現してもよい。
【０１２２】
番組再生装置１００、１００ａ、１００ｂの取得部１０１は、複数のチューナ１１ａ、１１ｂおよび複数のＴＳデコーダ１２ａ、１２ｂにより実現されると記載したが、必ずしも複数のチューナ１１ａ、１１ｂおよび複数のＴＳデコーダ１２ａ、１２ｂは必要ない。つまり、ネットワーク経由で外部のチューナから番組を取得するような構成であれば、取得部を実現することができる。
【０１２３】
また、上記の各装置は、具体的には、マイクロプロセッサ、ＲＯＭ、ＲＡＭ、ハードディスクドライブ、ディスプレイユニット、キーボード、マウスなどから構成されるコンピュータシステムとして構成されてもよい。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０１２４】
さらに、上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１２５】
さらにまた、上記の各装置を構成する構成要素の一部または全部は、各装置に脱着可能なＩＣカードまたは単体のモジュールから構成されているとしてもよい。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしてもよい。マイクロプロセッサが、コンピュータプログラムに従って動作することにより、ＩＣカードまたはモジュールは、その機能を達成する。このＩＣカードまたはこのモジュールは、耐タンパ性を有するとしてもよい。
【０１２６】
また、本発明は、上記に示す方法であるとしてもよい。また、本発明は、これらの方法をコンピュータにより実現するコンピュータプログラムであるとしてもよいし、上記コンピュータプログラムからなるデジタル信号であるとしてもよい。
【０１２７】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したものとしてもよい。また、これらの非一時的な記録媒体に記録されている上記デジタル信号であるとしてもよい。
【０１２８】
また、本発明は、上記コンピュータプログラムまたは上記デジタル信号を、電気通信回線、無線または有線通信回線、インターネットを代表とするネットワーク、データ放送等を経由して伝送するものとしてもよい。
【０１２９】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしてもよい。
【０１３０】
また、上記プログラムまたは上記デジタル信号を上記非一時的な記録媒体に記録して移送することにより、または上記プログラムまたは上記デジタル信号を、上記ネットワーク等を経由して移送することにより、独立した他のコンピュータシステムにより実施するとしてもよい。
【０１３１】
さらに、上記実施の形態及び上記変形例をそれぞれ組み合わせるとしてもよい。
【産業上の利用可能性】
【０１３２】
本発明は、複数の放送媒体で同一のコンテンツが放送されている場合に、ユーザが自分の好みの映像および音声を視聴することができるテレビ、ビデオレコーダ、タブレット端末、ＰＣなどとして有用である。
【符号の説明】
【０１３３】
１  テレビ
２  インターネット
３  試合速報提供サーバ
４  Ｗｅｂラジオサーバ
１１ａ、１１ｂ  チューナ
１２ａ、１２ｂ  ＴＳデコーダ
１３  通信部
１４  音声ストリームデコーダ
１５  データファイル解析回路
１６  映像処理回路
１７  音声処理回路
１８  データ処理回路
１９  表示制御回路
２０  表示部
２１  スピーカ
１００、１００ａ、１００ｂ  番組再生装置
１０１  取得部
１０２、１０２ｂ  再生部
１０３、１０３ｂ  検索部
１０４、１０４ａ、１０４ｂ  表示制御部
１０５  入力受付部
１０６  選択部
１０７、１０７ｂ  終了検出部
１０８  判定部
１１１、１１１ｂ  映像処理部
１１２、１１２ｂ  音声処理部
２１０、２５０、２６０、２８０  メッセージ画面
２１１、２５１、２６１、２８１  メッセージ
２２０  メニュー画面
２２１  メニュー
２３０、２７０、２９０  選択肢画面
２３１、２７１、２９１  選択肢
２３２、２７２、２９２  映像選択肢
２３３、２７３、２９３  音声選択肢
２４０、３００  ダイアログ画面
２４１、３０１  ダイアログ
３１０  試合結果画面
３１１  試合結果
【図１】
2015192401.tif 000003
【図２】
2015192401.tif 000004
【図３】
2015192401.tif 000005
【図４】
2015192401.tif 000006
【図５Ａ】
2015192401.tif 000007
【図５Ｂ】
2015192401.tif 000008
【図５Ｃ】
2015192401.tif 000009
【図６】
2015192401.tif 000010
【図７】
2015192401.tif 000011
【図８】
2015192401.tif 000012
【図９】
2015192401.tif 000013
【図１０Ａ】
2015192401.tif 000014
【図１０Ｂ】
2015192401.tif 000015
【図１１】
2015192401.tif 000016
【図１２Ａ】
2015192401.tif 000017
【図１２Ｂ】
2015192401.tif 000018
【図１３Ａ】
2015192401.tif 000019
【図１３Ｂ】
2015192401.tif 000020
【図１４Ａ】
2015192401.tif 000021
【図１４Ｂ】
2015192401.tif 000022
【図１５】
2015192401.tif 000023
【図１６】
2015192401.tif 000024
【図１７】
2015192401.tif 000025